【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
遊技用装置と、前記遊技用装置と通信可能な管理装置と、を備える遊技用システムであって、
前記遊技用装置は、前記遊技用装置に予め記憶されている前記遊技用装置の識別情報を前記管理装置に送信する第１の送信手段を備え、
前記管理装置は、前記第１の送信手段が送信した前記識別情報を取得する第１の取得手段と、前記第１の取得手段が取得した前記識別情報と同じ識別情報が記憶されているか否かを判別する判別手段と、前記判別手段が判別した判別結果を前記遊技用装置に送信する第２の送信手段と、を備え、
前記遊技用装置は、
前記第２の送信手段が送信した前記判別結果を取得する第２の取得手段と、
前記第２の取得手段が取得した判別結果が同じ識別情報が記憶されている旨を示す場合であって、かつ、第１の処理を行うことを許可する許可情報が前記遊技用装置に設定されている場合に、前記第１の処理を行い、前記第２の取得手段が取得した判別結果が同じ識別情報が記憶されていない旨を示す場合であって、かつ、前記第１の処理を行うことを許可する許可情報が前記遊技用装置に設定されている場合に、第１の条件のもとで前記第１の処理を行う第１の処理手段と、
前記第１の処理手段が前記第１の条件のもとで前記第１の処理を行った履歴の情報を記憶する記憶手段と、
前記記憶手段が記憶する前記履歴の情報が第２の条件を満たす場合に第２の処理を行う第２の処理手段と、をさらに備える、
ことを特徴とする遊技用システム。
【請求項２】
管理装置と通信可能な遊技用装置であって、
前記遊技用装置は、前記遊技用装置に予め記憶されている前記遊技用装置の識別情報を前記管理装置に送信する送信手段と、
前記送信手段が送信した前記識別情報と同じ識別情報が前記管理装置に記憶されているか否かを判別した結果を示す判別結果を前記管理装置から取得する取得手段と、
前記取得手段が取得した判別結果が同じ識別情報が記憶されている旨を示す場合であって、かつ、第１の処理を行うことを許可する許可情報が前記遊技用装置に設定されている場合に、前記第１の処理を行い、前記取得手段が取得した判別結果が同じ識別情報が記憶されていない旨を示す場合であって、かつ、前記第１の処理を行うことを許可する許可情報が前記遊技用装置に設定されている場合に、第１の条件のもとで前記第１の処理を行う第１の処理手段と、
前記第１の処理手段が前記第１の条件のもとで前記第１の処理を行った履歴の情報を記憶する記憶手段と、
前記記憶手段が記憶する前記履歴の情報が第２の条件を満たす場合に第２の処理を行う第２の処理手段と、
を備えることを特徴とする遊技用装置。
【手続補正２】
【補正対象書類名】明細書
【補正対象項目名】０００８
【補正方法】変更
【補正の内容】
【０００８】
（１）上記目的を達成するため、本発明に係る遊技用システムは、
遊技用装置（例えば、カードユニット２０）と、前記遊技用装置と通信可能な管理装置（例えば、鍵管理センターサーバ３１０）と、を備える遊技用システムであって、
前記遊技用装置は、前記遊技用装置に予め記憶されている前記遊技用装置の識別情報（例えば、ユニットシリアルＩＤ）を前記管理装置に送信する第１の送信手段（例えば、ステップＥ３２及びＥ４においてユニットシリアルＩＤを本認証鍵要求とともに送信する処理参照）を備え、
前記管理装置は、前記第１の送信手段が送信した前記識別情報を取得する第１の取得手段（例えば、ステップＥ４において送信されたユニットシリアルＩＤを取得する処理参照）と、前記第１の取得手段が取得した前記識別情報と同じ識別情報が記憶されているか否かを判別する判別手段（例えば、ステップＥ４．６において行われる本情報の検索処理参照）と、前記判別手段が判別した判別結果を前記遊技用装置に送信する第２の送信手段（例えば、ステップＥ５及びＥ６において本情報を送信する処理又は、ステップＪ６において未登録通知を送信する処理参照）と、を備え、
前記遊技用装置は、
前記第２の送信手段が送信した前記判別結果を取得する第２の取得手段（例えば、ステップＥ６において送信された本情報を取得する処理参照）と、
前記第２の取得手段が取得した判別結果が同じ識別情報が記憶されている旨を示す場合であって、かつ、第１の処理を行うことを許可する許可情報（例えば、有効鍵）が前記遊技用装置に設定されている場合に、前記第１の処理（例えば、ステップＥ１７において登録情報の送信要求を送信する処理参照）を行い、前記第２の取得手段が取得した判別結果が同じ識別情報が記憶されていない旨を示す場合であって、かつ、前記第１の処理を行うことを許可する許可情報（例えば、有効鍵）が前記遊技用装置に設定されている場合に、第１の条件のもと（例えば、ステップＪ１１におけるＮＧ運用許可のとき）で前記第１の処理を行う第１の処理手段と、
前記第１の処理手段が前記第１の条件のもとで前記第１の処理を行った履歴の情報を記憶する記憶手段と、
前記記憶手段が記憶する前記履歴の情報が第２の条件を満たす場合に第２の処理を行う第２の処理手段と、
をさらに備える。
【手続補正３】
【補正対象書類名】明細書
【補正対象項目名】０００９
【補正方法】変更
【補正の内容】
【０００９】
上記構成によれば、集積回路の識別情報が管理装置に登録されていない場合であっても、許可情報が遊技用装置に設定されている場合、遊技用装置は、所定の処理（前記第１の処理）を行うことができる。このように、上記構成の遊技用システムは、遊技用装置と通信可能な管理装置に集積回路の識別情報が未登録であっても、遊技用装置に所定の処理（前記第１の処理）を行わせることができる。
【手続補正４】
【補正対象書類名】明細書
【補正対象項目名】００１０
【補正方法】変更
【補正の内容】
【００１０】
（２）上記目的を達成するため、本発明に係る遊技用装置（例えば、カードユニット２０）は、（１）の遊技用システムに使用される遊技用装置であり、
管理装置（例えば、鍵管理センターサーバ３１０）と通信可能な遊技用装置であって、
前記遊技用装置は、前記遊技用装置に予め記憶されている前記遊技用装置の識別情報（例えば、ユニットシリアルＩＤ）を前記管理装置に送信する送信手段（例えば、ステップＥ３及びＥ４においてユニットシリアルＩＤを本認証鍵要求とともに送信する処理参照）と、
前記送信手段が送信した前記識別情報と同じ識別情報が前記管理装置に記憶されているか否かを判別した結果を示す判別結果を前記管理装置から取得する取得手段（例えば、ステップＥ５及びＥ６において送信された本情報を取得する処理又は、ステップＪ６において送信されたＮＧ運用許可を取得する処理参照）と、
前記取得手段が取得した判別結果が同じ識別情報が記憶されている旨を示す場合であって、かつ、第１の処理を行うことを許可する許可情報（例えば、有効鍵）が前記遊技用装置に設定されている場合に、前記第１の処理（例えば、ステップＥ１７において登録情報の送信要求を送信する処理参照）を行い、前記取得手段が取得した判別結果が同じ識別情報が記憶されていない旨を示す場合であって、かつ、前記第１の処理を行うことを許可する許可情報（例えば、有効鍵）が前記遊技用装置に設定されている場合に、第１の条件のもと（例えば、ステップＪ６におけるＮＧ運用許可のとき）で前記第１の処理を行う第１の処理手段と、
前記第１の処理手段が前記第１の条件のもとで前記第１の処理を行った履歴の情報を記憶する記憶手段と、
前記記憶手段が記憶する前記履歴の情報が第２の条件を満たす場合に第２の処理を行う第２の処理手段と、を備える。
【手続補正５】
【補正対象書類名】明細書
【補正対象項目名】００１１
【補正方法】変更
【補正の内容】
【００１１】
上記構成によれば、集積回路の識別情報が管理装置に登録されていない場合であっても、許可情報が遊技用装置に設定されている場合、遊技用装置は、所定の処理（前記第１の処理）を行うことができる。このように、上記構成の遊技用装置は、遊技用装置と通信可能な管理装置に集積回路の識別情報が未登録であっても、所定の処理（前記第１の処理）を行うことができる。